(57)【特許請求の範囲】
【請求項１】
電動送風機を内蔵する電動送風機室と、長方形の形状をした口芯を有し塵埃を捕集する集塵袋と、前記集塵袋を収納する集塵室と、集塵室の一壁に設けられた吸気口と、前記吸気口に取り付けられた逆止弁と、前記集塵室の吸気口を設けた壁に前記吸気口を挟んで設けられ前記集塵袋の口芯が挿入される一対の断面略Ｌ字状のリブとで形成し、前記断面略Ｌ字状のリブの一辺はその内壁と逆止弁との最小隙間が前記口芯の厚みと略同一またはそれ以上になるように前記集塵室の吸気口を設けた壁と隙間を有して設けられ、前記一対のリブの相対する部分に傾斜面を設け、その下端部での内寸法を前記口芯の幅寸法と略同一にし、さらにリブの上端部での内寸法を下端部の内寸法より大きくなるようにすると共に、前記一対の相対するリブで傾斜面を設けた壁の上端部に反吸気口側に向かって下がる傾斜部を設けてなる電気掃除機。
【発明の詳細な説明】
【０００１】
【発明の属する技術分野】
本発明は、一般家庭用電気掃除機に関するものである。
【０００２】
【従来の技術】
従来の電気掃除機を図１１〜図１３を用いて説明する。１は電動送風機２等を内蔵する下本体であり、前部には口芯３を有し塵埃を捕集する集塵袋４を収納する集塵室５と、口芯３を挿入する一対のさそいリブ６が設けられている。前記一対のさそいリブ６間の内寸法は口芯３の幅寸法と略同一に設定されている。前記集塵室５の前壁５ａに設けた吸気口７にはゴムなどの弾性材料からなる逆止弁８が固着されている。
【０００３】
さそいリブ６と逆止弁８との隙間Ｌは、その部分に取り付けられる口芯３の厚みより小さめに設定されて、口芯３がさそいリブ６と逆止弁８との間で圧接されて両者間のエアータイトが確保されるようになっている。
【０００４】
９は口芯３の上部を保持する袋口押さえである。集塵袋４の下本体１への取り付けは、集塵袋４の口芯３の上部を掴んでさそいリブ６と逆止弁８との間に口芯３を挿入して完了する。
【０００５】
【発明が解決しようとする課題】
ところが、上記のような構成の電気掃除機においては、集塵袋４を集塵室５にセットする際に、一対のさそいリブ６の内寸法が口芯３の幅寸法と略同一に設定されているため、少しでも口芯３が斜めになると一対のさそいリブ６間に入らず口芯３を挿入するのが困難であった。
【０００６】
また逆止弁８が口芯３に対して圧接気味に設定されているため、口芯３を挿入する途中で口芯３が逆止弁８に引っ掛かったり、無理に挿入して口芯３が湾曲し、口芯３と逆止弁８の隙間からゴミ漏れが発生するなどの問題があった。
【０００７】
本発明は以上のような従来の課題を解決しようとするもので、電気掃除機の集塵袋の取り付け性を向上させることを目的としている。
【０００８】
【課題を解決するための手段】
以上の目的を達成するための本発明は、電動送風機を内蔵する電動送風機室と、長方形の形状をした口芯を有し塵埃を捕集する集塵袋と、前記集塵袋を収納する集塵室と、集塵室の一壁に設けられた吸気口と、前記吸気口に取り付けられた逆止弁と、前記集塵室の吸気口を設けた壁に前記吸気口を挟んで設けられ前記集塵袋の口芯が挿入される一対の断面略Ｌ字状のリブとで形成し、前記断面略Ｌ字状のリブの一辺はその内壁と逆止弁との最小隙間が前記口芯の厚みと略同一またはそれ以上になるように前記集塵室の吸気口を設けた壁と隙間を有して設けられ、前記一対のリブの相対する部分に傾斜面を設け、その下端部での内寸法を前記口芯の幅寸法と略同一にし、さらにリブの上端部での内寸法を下端部の内寸法より大きくなるようにすると共に、前記一対の相対するリブで傾斜面を設けた壁の上端部に反吸気口側に向かって下がる傾斜部を設けたことにより、集塵袋を吸気口部に取りつける際、リブの上端部が広くなっているので、口芯を容易にリブ間に挿入できるとともに、口芯の下端が本体の底に達したときに口芯の位置決めが確実になされゴミ漏れが発生することもない。
【０００９】
【発明の実施の形態】
本発明の請求項３記載の発明は、電動送風機を内蔵する電動送風機室と、長方形の形状をした口芯を有し塵埃を捕集する集塵袋と、前記集塵袋を収納する集塵室と、集塵室の一壁に設けられた吸気口と、前記吸気口に取り付けられた逆止弁と、前記集塵室の吸気口を設けた壁に前記吸気口を挟んで設けられ前記集塵袋の口芯が挿入される一対の断面略Ｌ字状のリブとで形成し、前記断面略Ｌ字状のリブの一辺はその内壁と逆止弁との最小隙間が前記口芯の厚みと略同一またはそれ以上になるように前記集塵室の吸気口を設けた壁と隙間を有して設けられ、前記一対のリブの相対する部分に傾斜面を設け、その下端部での内寸法を前記口芯の幅寸法と略同一にし、さらにリブの上端部での内寸法を下端部の内寸法より大きくなるようにすると共に、前記一対の相対するリブで傾斜面を設けた壁の上端部に反吸気口側に向かって下がる傾斜部を設けたもので、口芯を容易にリブ間に挿入できるとともに、口芯の下端が本体の底に達したときに口芯の位置決めが確実になされゴミ漏れが発生することもない。また、口芯を一対のリブ間に挿入する際、逆止弁とリブの内壁間で引っ掛かることがないので、挿入が容易になるとともに口芯が変形することもない。さらに、口芯をリブ間に挿入する際、集塵袋の折りまげ端部のリブへの引掛かりがなくなるため、スム−ズに挿入できる。
【００１０】
【実施例】
（実施例１）
以下、本発明の第１の実施例を図１〜３にもとづいて説明する。１１は電動送風機１２等を内蔵する電動送風機室１２ａを配した下本体であり、１４は集塵袋で、開口部１３ｃを有する口芯１３と塵埃を捕集する袋体１４ｂより形成されている。１５は下本体１１の前側に配置された集塵室１５である。
【００１１】
１６は、口芯１３を挿入する時にガイドとなる一対のリブで後述の吸気口１７を挟んで両側に設けられている。
【００１２】
前記集塵室１５の前方の壁１５ａには、吸気口１７が設けられ、さらにその吸気口１７の周縁にゴムなどの弾性材料で形成された逆止弁１８が固着されている。
【００１３】
１９は、下本体１１に回動自在に取着され集塵袋１４を所定の位置に取り付けた後、集塵袋１４の口芯１３を逆止弁１８に圧接気味にして上部１３ｂを保持固定するための袋口押さえである。
【００１４】
前記一対のリブ１６の下端部での内寸法（Ｌ１）を前記口芯１３の幅寸法と略同一にし、さらにリブ１６の上端部１６ｂでの内寸法（Ｌ２）を下端部の内寸法Ｌ１より大きくなるようにリブ１６の口芯１３側に傾斜面１６ａを設けたものである。
【００１５】
上記構成による作用は以下の通りである。
【００１６】
すなわち、集塵袋１４を吸気口１７部に取りつける際、集塵袋１４の口芯１３をその下端１３ａが下本体１１の底面１１ａに達するまで、一対のリブ１６間に挿入していき、最後に袋口押さえ１９を後方に回動させて、口芯１３の上端１３ｂを保持して集塵袋１４の取り付けが完了する。
【００１７】
口芯１３を一対のリブ１６間に挿入する際、その上端部１６ｂが広くなっているので、口芯１３を容易にリブ１６間に挿入できるとともに、口芯１３の下端が下本体１１の底面１１ａに達したときは、リブ１６の下端部での内寸法（Ｌ１）が口芯１３の幅寸法と略同一に設定されているので、口芯１３の左右の位置決めが確実になされ、開口部１３ｃの中心と逆止弁１８のそれがずれることが無くゴミ漏れが発生することもない。
【００１８】
（実施例２）
次に本発明の第２の実施例を、図４〜図７を用いて説明する。なお上記第１の実施例と同一構成部品については同一符号を付して、その説明を省略する。
【００１９】
上記リブ１６の断面形状を略Ｌ字状とし、口芯１３の背面側に位置するリブ１６の内壁１６ｂと逆止弁１８との最小隙間Ｌ３を口芯１３の厚みと略同一又はそれ以上に設定したもので、口芯１３を一対のリブ１６間に挿入する際、逆止弁１８とリブ１６の内壁１６ｂ間で口芯１３が引っ掛かることがないので、挿入が極めて容易になるとともに、挿入時に口芯１３が変形することが無く、変形によるゴミ漏れも発生しない。なお、口芯１３と逆止弁１８との間のエアータイトは口芯１３の上端１３ｂを袋口押さえ１９で保持することで、口芯１３が逆止弁１８に圧接されることにより確保されることは言うまでもない。
【００２０】
（実施例３）
次に本発明の第３の実施例を、図８〜図１０を用いて説明する。なお上記実施例と同一構成部品については同一符号を付して、その説明を省略する。
【００２１】
口芯１３の側面端部に相対するリブ１６の傾斜面１６ａを設けた壁の上端部に後ろ下がり状の傾斜部１６ｃを設けたもので、口芯１３をリブ１６間に挿入する際、図９に示すように袋体１４ｂの折りまげ端部１４ａがリブ１６に引掛かかることがなくなるため、袋体１４ｂが破れたりすることがなくまた、集塵袋１４の取り付けがスム−ズにできるものである。
【００２２】
【発明の効果】
本発明の請求項１記載の発明によれば、一対のリブの下端部での内寸法を口芯の幅寸法と略同一にし、さらにリブの上端部での内寸法を下端部の内寸法より大きくなるようにリブの口芯側に傾斜面を設けることにより、集塵袋を吸気口部に取りつける際、リブの上端部が広くなっているので、口芯を容易にリブ間に挿入できるとともに、口芯の下端が下本体の底に達したときに口芯の位置決めが確実になされゴミ漏れが発生することもない。
【００２３】
本発明の請求項２記載の発明によれば、リブの断面形状を略Ｌ字状とし、口芯の背面側のリブの内壁と逆止弁との最小隙間を口芯の厚みと略同一又はそれ以上に設定したすることにより、口芯を一対のリブ間に挿入する際、逆止弁とリブの内壁間で引っ掛かることがないので、挿入が容易になるとともに口芯が変形することもない。
【００２４】
本発明の請求項３記載の発明によれば、口芯の側面端部に相対するリブの上端部に後ろ下がり状の傾斜部を設けることにより、口芯をリブ間に挿入する際、集塵袋の袋体の折りまげ端部のリブへの引掛かりがなくなるため、スム−ズに挿入できるものである。
【図面の簡単な説明】
【図１】本発明の第１の実施例を示した電気掃除機の断面図
【図２】同電気掃除機の集塵袋を示す平面図
【図３】同電気掃除機の集塵袋取りつけ部の要部断面図
【図４】本発明の第２の実施例を示した電気掃除機の要部断面図
【図５】同口芯を袋口押さえで保持する前の要部断面図
【図６】同口芯を袋口押さえで保持した状態の要部断面図
【図７】同電気掃除機の集塵袋取りつけ部の斜視図
【図８】本発明の第３の実施例を示した電気掃除機の要部断面図
【図９】同電気掃除機の集塵袋取りつけ部の斜視図
【図１０】同集塵袋取りつけ部の断面図
【図１１】従来の電気掃除機の断面図
【図１２】同口芯を取り付ける前の要部断面図
【図１３】同口芯を取り付けた状態の要部断面図
【符号の説明】
１２  電動送風機
１２ａ  電動送風機室
１３  口芯
１４  集塵袋
１５  集塵室
１７  吸気口
１８  逆止弁
１６  リブ
１６ａ  傾斜面
【図１】
0003588944.tif 000002
【図２】
0003588944.tif 000003
【図３】
0003588944.tif 000004
【図４】
0003588944.tif 000005
【図５】
0003588944.tif 000006
【図６】
0003588944.tif 000007
【図７】
0003588944.tif 000008
【図８】
0003588944.tif 000009
【図９】
0003588944.tif 000010
【図１０】
0003588944.tif 000011
【図１１】
0003588944.tif 000012
【図１２】
0003588944.tif 000013
【図１３】
0003588944.tif 000014